(57)【特許請求の範囲】
【請求項１】
児収容室の両側方に配置される各処置扉に、左右に並んで開口部が二つずつ形成されるとともに、これら開口部に手入れ窓ユニットがそれぞれ設けられてなる保育器であり、各手入れ窓ユニットは、前記処置扉における前記開口部の周縁部に取り付けられる環状のベース枠と、このベース枠の内周縁に取り付けられ手入れ窓を形成する環状のパッキンと、該パッキンに当接して前記手入れ窓を閉止可能な手入れ扉と、前記ベース枠の一端部に設けられ前記手入れ扉を軸により回動自在に支持するヒンジ部と、前記ベース枠の他端部に設けられ前記手入れ扉を閉止状態に保持可能なロック部とを備え、前記処置扉の開口部及び前記手入れ窓ユニットは、前記処置扉に並ぶ両開口部の間の左右方向の中間位置を通る垂直線と両開口部の上下方向の中間位置を通る水平線との交点を中心として前記処置扉の表面と平行な面内で点対称となる形状に形成され、前記ヒンジ部の前記軸は、前記処置扉の表面と平行で上下方向に配置され、前記ロック部には、前記手入れ扉の閉止状態を解除する解除レバーが設けられ、該解除レバーは、前記閉止状態を解除するための操作方向が前記処置扉の厚さ方向に設定されていることを特徴とする保育器。
【請求項２】
前記開口部及び手入れ窓ユニットは、前記児収容室の両側方に配置される二つの処置扉とも同じ形状であることを特徴とする請求項１記載の保育器。
【請求項３】
前記児収容室の端部側に配置される端部側処置扉に、少なくとも一つの端部側開口部が形成されるとともに、該端部側開口部に端部側手入れ窓ユニットが設けられており、該端部側開口部は前記児収容室の側方の処置扉に形成される前記開口部と同じ平面形状を有しており、前記端部側手入れ窓ユニットは、前記児収容室の側方の処置扉に設けられる前記手入れ窓ユニットと同じ形状の少なくとも前記パッキン、前記ベース枠、前記ヒンジ部及び前記ロック部を有していることを特徴とする請求項１又は２記載の保育器。
【請求項４】
前記ロック部には、前記手入れ窓を閉止状態としたときに前記手入れ扉の先端部を係止可能なラッチ部材が設けられ、前記解除レバーには、一対の側板部と、これら側板部の間に前記手入れ扉の先端部を通過可能な空間部を形成して配置される天板部とが備えられ、前記ラッチ部材は、前記解除レバーの両側板部の間に配置されていることを特徴とする請求項１〜３のいずれか一項に記載の保育器。
【請求項５】
前記ラッチ部材には、前記手入れ扉に当接する位置にクッション部材が設けられていることを特徴とする請求項４に記載の保育器。
【発明の詳細な説明】
【技術分野】
【０００１】
本発明は、児収容室の側面に手入れ窓が形成され、その手入れ窓を開閉する手入れ扉を有する保育器に関する。
【背景技術】
【０００２】
未熟児等に対して適切な生理的環境を提供するための保育器には、児のケア時に器内の環境温度への影響を少なくするために、児収容室の側面を構成する処置扉に手入れ窓が形成され、この手入れ窓を開閉する手入れ扉が設けられている。日常のケアで、手入れ窓の開閉の頻度は多く、その際、児にストレスがかからないように、開閉音は静かでなければならない。また器内の環境温度等に影響を与えないように、手入れ窓は、シール性を確保しなければならない。
【０００３】
特許文献１に開示の保育器には、フードに形成した手入れ窓の内周部にパッキン（密封材）が固定され、手入れ窓の一端側近傍位置にヒンジ部（蝶番）が取り付けられ、このヒンジ部により手入れ扉（ドア）が回動自在に支持され、手入れ窓の他端側近傍位置に手入れ扉をロックするロック部（フックスライダ）が取り付けられている。
この特許文献１に開示の保育器では、処置扉の手入れ窓に手入れ扉を組み込む際、手入れ扉のヒンジ部やロック部の位置及び姿勢を調整して組み込まなければならない。また、その調整においては、作業者により手入れ扉の開閉音等にバラツキが出てしまう。
【０００４】
そこで、特許文献２に開示の保育器では、手入れ窓における処置扉の内縁に取り付けられる環状の手入れ扉基板を設け、この手入れ扉基板に、パッキン、手入れ扉を支持するヒンジ部、ロック部を設けることにより、これらパッキン、ヒンジ部、ロック部等を一体化したユニット構造にしている。これにより、予めユニットを組み立てた状態で手入れ窓に取り付けることが可能になり、手入れ窓に手入れ扉を取り付ける際に、ヒンジ部やロック部の取り付け調整がなくなり、容易に手入れ窓に取り付けることができ、取り付け作業性を向上させることができる。
【先行技術文献】
【特許文献】
【０００５】
【特許文献１】特開２００１−７０３７３号公報
【特許文献２】特開２０１０−８８４６６号公報
【発明の概要】
【発明が解決しようとする課題】
【０００６】
ところで、手入れ窓は、少なくとも児収容室の両側方に配置される２面の処置扉にそれぞれ設けられており、しかも、医師や看護士の両手を児収容室に入れられるように両処置扉に二つずつ設けられる。また、児の足側に配置される処置扉にも手入れ窓を設ける場合がある。このため、これら複数の手入れ窓への取り付け作業性をより向上させ、コスト低減を図ることができる保育器が望まれている。
【０００７】
本発明は、このような事情に鑑みてなされたもので、複数の手入れ窓への手入れ扉の取り付けを容易にして、取り付け作業性を向上し、コスト低減を図ることができる保育器を提供することを目的とする。
【課題を解決するための手段】
【０００８】
本発明の保育器は、児収容室の両側方に配置される各処置扉に、左右に並んで開口部が二つずつ形成されるとともに、これら開口部に手入れ窓ユニットがそれぞれ設けられてなる保育器であり、各手入れ窓ユニットは、前記処置扉における前記開口部の周縁部に取り付けられる環状のベース枠と、このベース枠の内周縁に取り付けられ手入れ窓を形成する環状のパッキンと、該パッキンに当接して前記手入れ窓を閉止可能な手入れ扉と、前記ベース枠の一端部に設けられ前記手入れ扉を軸により回動自在に支持するヒンジ部と、前記ベース枠の他端部に設けられ前記手入れ扉を閉止状態に保持可能なロック部とを備え、前記処置扉の開口部及び前記手入れ窓ユニットは、前記処置扉に並ぶ両開口部の間の左右方向の中間位置を通る垂直線と両開口部の上下方向の中間位置を通る水平線との交点を中心として前記処置扉の表面と平行な面内で点対称となる形状に形成され、前記ヒンジ部の前記軸は、前記処置扉の表面と平行で上下方向に配置され、前記ロック部には、前記手入れ扉の閉止状態を解除する解除レバーが設けられ、該解除レバーは、前記閉止状態を解除するための操作方向が前記処置扉の厚さ方向に設定されていることを特徴とする。
【０００９】
手入れ窓ユニットを処置扉と平行な面内で点対称となる形状に形成したから、処置扉に形成された二つの開口部において、その一方の開口部に取り付けられる手入れ窓ユニットを１８０°回転させて他方の開口部に取り付けることが可能である。このため、二つの開口部に同じ形状の手入れ窓ユニットを使用することができ、部品等の共通化により、コスト低減を図ることができる。
また、ヒンジ部の軸が処置扉と平行で、ロック部の解除レバーの操作方向が処置扉の厚さ方向とされているから、手入れ窓ユニットを左右入れ替えて取り付けたとしても、手入れ扉の開閉のための操作方向を変える必要はない。したがって、左右の手入れ窓とも同じ操作感で開閉することができ、操作性がよい。
【００１０】
本発明の保育器において、前記開口部及び手入れ窓ユニットは、前記児収容室の両側方に配置される二つの処置扉とも同じ形状であるとよい。
また、前記児収容室の端部側に配置される端部側処置扉に、少なくとも一つの端部側開口部が形成されるとともに、該端部側開口部に端部側手入れ窓ユニットが設けられており、該端部側開口部は前記児収容室の側方の処置扉に形成される前記開口部と同じ平面形状を有しており、前記端部側手入れ窓ユニットは、前記児収容室の側方の処置扉に設けられる前記手入れ窓ユニットと同じ形状の少なくとも前記パッキン、前記ベース枠、前記ヒンジ部及び前記ロック部を有しているとよい。
このような構成とすることにより、部品の共通化を促進して、コストをより低減することができる。
【００１１】
本発明の保育器において、前記ロック部には、前記手入れ窓を閉止状態としたときに前記手入れ扉の先端部を係止可能なラッチ部材が設けられ、前記解除レバーには、一対の側板部と、これら側板部の間に前記手入れ扉の先端部を通過可能な空間部を形成して配置される天板部とが備えられ、前記ラッチ部材は、前記解除レバーの両側板部の間に配置されているとよい。ラッチ部材が解除レバーにより覆われるように設けられるので、意匠性にも優れたものとなる。
【００１２】
また、本発明の保育器において、前記ラッチ部材には、前記手入れ扉に当接する位置にクッション部材が設けられているとよく、手入れ扉の開閉操作時の衝撃音をクッション部材により緩和することができる。
【発明の効果】
【００１３】
本発明の保育器によれば、処置扉の異なる開口部に同じ手入れ窓ユニットを取り付けることができるため、部品等の共通化により、コスト低減を図ることができ、その場合に、ヒンジ部の軸を処置扉と平行で、ロック部の解除レバーの操作方向を処置扉の厚さ方向としたから、手入れ窓ユニットを左右入れ替えて取り付けたとしても、同じ操作感で開閉することができ、操作性がよい。
【図面の簡単な説明】
【００１４】
【図１】本発明の一実施形態の保育器における手入れ扉ユニットが取り付けられる左右側処置扉の二つの開口部を示す正面図である。
【図２】左右側処置扉に取り付けられる手入れ扉ユニットの一つを示す正面図である。
【図３】図２の手入れ扉ユニットにおけるＡ−Ａ線に沿う断面図である。
【図４】図２の手入れ扉ユニットにおけるＢ−Ｂ線に沿う断面図である。
【図５】足側処置扉に取り付けられる手入れ窓ユニットの図３同様の断面図である。
【図６】手入れ扉を開いた状態におけるヒンジ部付近の断面図である。
【図７】手入れ扉をロックした状態を示すロック部付近の断面図である。
【図８】ロック部付近において手入れ扉を閉める直前の断面図である。
【図９】保育器の全体斜視図である。
【図１０】保育器の左側処置扉を正面視した正面図である。
【図１１】図１０に対する右側面図である。
【図１２】図１０に示す状態から左側処置扉を開けた状態を示す正面図である。
【図１３】図９に示す状態からキャノピー及び加熱器を上昇させた状態を示す斜視図である。
【図１４】手入れ窓ユニットにおけるベース枠の斜視図である。
【図１５】パッキンの斜視図である。
【図１６】図１５のＣ−Ｃ線に沿うパッキンの縦断面図である。
【図１７】ヒンジ部におけるブレーキ部材の斜視図である。
【図１８】ロック部における基枠の斜視図である。
【図１９】ロック部における解除レバーの斜視図である。
【図２０】解除レバーにおける図１８のＤ−Ｄ線に沿う断面図である。
【図２１】ロック部におけるラッチ部材の正面図である。
【図２２】ラッチ部材の斜視図である。
【発明を実施するための形態】
【００１５】
以下、本発明の保育器の一実施形態について説明する。
［保育器の全体構成］
保育器１は、図９〜図１１に全体を示したように、キャスター２により移動自在な架台３と、この架台３の上に垂直に立設された支柱４と、この支柱４の上端に設けられたフレーム５と、このフレーム５の上に設置された基台６と、この基台６の上に設けられ児収容室７を囲むフード８と、フレーム５の一端部でフード８の側方位置に垂直に設けられた２本のガイド柱９，１０と、これらガイド柱の一方（ガイド柱１０）の上端に設けられた加熱器１１とを備えており、ガイド柱の他方（ガイド柱９）の上端には、フード８の天井を構成するキャノピー（天蓋）１２が取り付けられている。
支柱４は内部にフレーム５を上下移動する昇降機構を内蔵しており、架台３の側部に、昇降機構を操作するためのペダル１３が設けられている。
【００１６】
フード８は、児を寝かせる臥床台１５が設置される床板１６と、児の左右に配置される左側処置扉１７及び右側処置扉１８と、児の足側に配置される足側処置扉１９と、児の頭側に配置される頭側処置扉２０と、これら左右側処置扉１７，１８、足側処置扉１９及び頭側処置扉２０により囲まれた児収容室７の上方を閉塞するキャノピー１２とにより、ほぼ直方体状に構成される。左側処置扉１７、右側処置扉１８、足側処置扉１９、頭側処置扉２０及びキャノピー１２は、ほぼ全体が透明樹脂によって構成されており、外部から児収容室７内の児を目視確認できる。
また、図９〜図１１ではキャノピー１２を下降させてフード８を閉じた状態、図１３はキャノピー１２を上昇させて児収容室７の上方を開放した状態を示している。また、この図１３においては、加熱器１１も上昇させ、児収容室７を加熱した状態を示している。
このように、この保育器１は、図９〜図１１に示す閉鎖型保育器、及び図１３に示す開放型保育器の両方の形態の機能を有している。
【００１７】
各処置扉１７〜２０のうち、頭側処置扉２０は、児収容室７の頭側に立設した垂直姿勢に維持される。これに対して、左右側処置扉１７，１８及び足側処置扉１９は、その下端部が基台６に対して水平な軸（図示略）を中心に揺動自在に取り付けられており、児に対する診察、処置などを任意の方向から行えるようにするために、これら処置扉１７〜１９の一つあるいは複数を下方に倒すことにより、児収容室７の側方の一部又は三方を開放状態とすることができる。図１２は左側処置扉１７を回動させて、児収容室７の一側方を開放状態としている。
閉鎖型保育器として使用する場合は、各処置扉１７〜１９とも閉鎖した状態とされ、児のケアのために左右側処置扉１７，１８を開閉する。開放型保育器として使用する場合は、児のケアのために左側処置扉１７、右側処置扉１８及び足側処置扉１９の三方を開閉することができる。
【００１８】
さらに、左側処置扉１７、右側処置扉１８及び足側処置扉１９には手入れ窓ユニット２５，２６が設けられ、閉鎖型保育器として使用する際に、処置扉１７〜１９を起立させた状態のまま手入れ窓２７を手入れ扉２８，２９により開閉することができるようになっている。頭側処置扉２０には、ケーブルやチューブ等を挿通させるためのスリットを有するグロメット部材３０が取り付けられている。
また、児収容室７内の床板１６の上には、児を載せる臥床台１５が設けられている。この臥床台１５は、長さ方向の中央部が水平な軸（図示略）により揺動自在に支持されるとともに、頭側の一端部が昇降機構３１に支持され、この一端部を持ち上げることにより、水平方向に対して傾斜した姿勢に保持できるようになっている。その昇降機構３１は、フード８の外側に設けられる。
【００１９】
ガイド柱９，１０は、同軸上にロッド３２が収容され、このロッド３２を上下移動させる昇降機構が内蔵されている。キャノピー１２は、ガイド柱９のロッド３２の上端に取り付けられており、その下降位置で各処置扉１７〜２０の上端に当接して児収容室７を閉鎖し、上昇位置では、図１３に示すように、処置扉１７〜２０から児の処置のための十分な間隔を明けて退避できるようになっている。加熱器１１は、他方のガイド柱１０のロッド（図には見えないが、図１３のガイド柱９と同様に設けられる）の上端に水平な軸３３を中心に回動可能に取り付けられており、その下降位置では、図９等に示すように、ガイド柱１０とほぼ平行な垂直方向に折り畳まれた収納姿勢とされ、上昇位置では、垂直方向に対して所定の角度に起こされて児収容室７に上方から熱線を供給する加熱姿勢とされる。
【００２０】
［処置扉及び手入れ窓用開口部の構成］
足側処置扉１９及び頭側処置扉２０は一枚の壁により構成されるが、左側処置扉１７、右側処置扉１８は、二重壁構造の内壁３５と外壁３６とを備えており、これら内壁３５と外壁３６との間に、基台６内から送風される温風を下方から上方に向けて流して児収容室７内に供給するための隙間３７が形成されている。
これら左側処置扉１７及び右側処置扉１８には、内壁３５と外壁３６とを貫通する開口部４１，４２が、各処置扉１７，１８においてその正面視で左右に並んで二つずつ形成されており、一方、足側処置扉１９には、その壁を貫通する一つの開口部４２が形成されている。後述するように、左右側処置扉１７，１８の外壁３６に形成される開口部４２と足側処置扉１９に形成される開口部４２とはいずれも同じ形状、同じ大きさに形成されており、これら開口部４２に手入れ窓ユニット２５，２６がそれぞれ設けられている。左右側処置扉１７，１８の内壁３５に形成される開口部４１は、外壁３６の開口部４２より小さい面積で相似形状に形成される。
【００２１】
左右側処置扉１７，１８の外壁３６に形成される二つの開口部４２は、図１に示すように、いずれも、正面視では上下方向よりも水平方向に長く、複数の曲率半径Ｒ１〜Ｒ４の曲線を連続させてなる全体として卵形に形成され、上側縁及び下側縁の曲率半径Ｒ１は、左側縁及び右側縁の曲率半径Ｒ２，Ｒ３より、全体として大きく形成されている。一方、左側縁及び右側縁は、その一方の曲率半径Ｒ２が他方の曲率半径Ｒ３より大きく形成されている。これら左側縁及び右側縁は、その曲率半径が全体として大きい側縁の円弧部を大円弧部４３、曲率半径が全体として小さい側縁の円弧部を小円弧部４４とする。そして、各開口部４２は、その周縁が上下方向の中心を通る水平線Ｈを中心として線対称となる曲線に形成されている。
【００２２】
また、両開口部４２は、これを正面視して左側に配置される開口部４２では、その左側縁に大円弧部４３、右側縁に小円弧部４４が配置され、一方、右側に配置される開口部４２では、逆に、右側縁に大円弧部４３、左側縁に小円弧部４４が配置されている。つまり、左側処置扉１７に設けられる二つの開口部４２、あるいは右側処置扉１８に設けられる二つの開口部４２は、それぞれ左右方向の向きが逆になっており、両開口部４２の間の左右方向の中間位置を通る垂直線Ｖと両開口部４２の上下方向の中間位置を通る水平線Ｈとの交点Ｐを中心として点対称の形状に形成されている。また、これら処置扉１７，１８に形成される開口部４２は、左右側のいずれかの処置扉１７，１８の左右の二つの開口部４２が対称に形成されるだけでなく、左側処置扉１７の二つの開口部４２と右側処置扉１８の二つの開口部４２は、向きが異なるだけで、すべて同じ大きさ、同じ形状に形成されている。さらには足側処置扉１９の一つの開口部４２も、これら左右側処置扉１７，１８の両開口部４２と同じ大きさ、同じ形状に形成されており、例えば、左右側の処置扉１７，１８の右側に配置される開口部４２と同じ向きに配置される。
【００２３】
［手入れ窓ユニットの構成］
このような形状の開口部４２に取り付けられる手入れ窓ユニット２５，２６は、開口部４２がすべて同じ大きさ、同じ形状に形成されていることから、向きが異なるだけで、正面視での形状は、すべて同じ大きさ、同じ形状に形成される。
また、左側処置扉１７と右側処置扉１８に２個ずつ取り付けられる各手入れ窓ユニット２５は、開口部４２と同様に、各処置扉１７，１８において両開口部４２の間の左右方向の中間位置を通る垂直線Ｖと両開口部４２の上下方向の中間位置を通る水平線Ｈとの交点Ｐを中心として点対称の形状、構造に形成されている。
一方、足側処置扉１９の手入れ窓ユニット２６は、手入れ扉２９が正面視での形状は左右側処置扉１７，１８の手入れ窓ユニット２５の手入れ扉２８と同じであるが、足側処置扉１９が一枚構造であることから、構造が左右側処置扉１７，１８の手入れ窓ユニット２５の手入れ扉２８とは一部異なっている。
まず、左右側処置扉１７，１８に取り付けられる手入れ窓ユニット２５について説明し、足側処置扉１９に取り付けられる手入れ窓ユニット２６は後述する。
【００２４】
左側処置扉１７及び右側処置扉１８の開口部４２に取り付けられる手入れ窓ユニット２５は、図３及び図４に示すように、開口部４２に固定される戸当たり枠体４５と、この戸当たり枠体４５に回動自在に支持される手入れ扉２８とから構成される。
戸当たり枠体４５は、開口部４２の内周縁に取り付けられる環状のベース枠４６と、このベース枠４６の内周縁に取り付けられるパッキン４７と、ベース枠４６の一端部に設けられ手入れ扉２８を支持するヒンジ部４８と、ベース枠４６の他端部に設けられ手入れ扉２８を閉止状態に保持可能なロック部４９とから構成される。
【００２５】
ベース枠４６は、図１４に示すように、全体が硬質樹脂により環状に形成され、開口部４２の内側に嵌合される枠体部５１に、処置扉１７，１８の表面に配置され枠体部５１と開口部４２との隙間を塞ぐフランジ部５２が一体に形成されており、ヒンジ部４８及びロック部４９の取り付け箇所においてはフランジ部５２から延びるように比較的広い面積の板状部５３，５４が形成されている。そして、これら板状部５３，５４を開口部４２の大円弧部４３及び小円弧部４４の周辺における処置扉１７，１８の表面に当接させ、この処置扉１７，１８にビス止め等により固定され、この取り付け構造において、図３及び図４に示すように開口部４２の内周縁に沿って枠体部５１が配置される。枠体部５１の内周部には、パッキン４７に嵌まり込む二つの凸条５５が周方向に沿って形成されている。その一方の凸条５５は、水平方向内方に向けて形成され、他方の凸条５５は、処置扉１７，１８の表面に垂直に形成されていることにより、これら二つの凸条５５が９０°の角度で交差するアングル状に形成されている。
【００２６】
パッキン４７は、図１５及び図１６に示すように、ベース枠４６の枠体部５１に取り付けられる環状の取付部５６と、この取付部５６の内周部から内周面を延長するように延びるシール片５７とが一体に形成されている。取付部５６は、シール片５７に比べて剛性を有する樹脂により形成されており、その外周部に、ベース枠４６の枠体部５１における二つの凸条５５に被さるように嵌合する凹溝５８が周方向に沿って形成されている。取付部５６の内周面は、その厚さ方向の断面が滑らかな円弧状となるように形成される。シール片５７は軟質の樹脂により薄肉に形成されており、その内周面は、取付部５６の内周面の円弧を延長するように、取付部５６の内周面から面一に延びる滑らかな円弧状に形成されている。そして、このパッキン４７の内側開口により手入れ窓２７が構成される。
【００２７】
ベース枠４６の一方の板状部５３にヒンジ部４８が設けられ、他方の板状部５４にロック部４９が設けられている。
ヒンジ部４８は、手入れ扉２８に設けられた軸６１と、この軸６１の両端部を回動自在に支持する軸受部６２と、手入れ扉２８の回動に制動力を作用するブレーキ部材６３と、軸６１の回りに巻きつけられるねじりコイルばね（付勢部材）６４と、軸受部６２等を覆うカバー部材６５とを有している。軸６１は、手入れ扉２８の端部の軸保持部６６に、両端部を軸保持部６６の両端から突出させた状態に固定されている。また、軸受部６２は、ベース枠４６の板状部５３に一体に形成されており、軸保持部６６から突出する軸６１の両端部を板状部５３の表面と平行に配置してそれぞれ回転自在に支持する。また、軸６１に巻き付けられたねじりコイルばね６４の一端部が手入れ扉２８の軸保持部６６に、他端部がベース枠４６の軸受部６２にそれぞれ固定されている。このねじりコイルばね６４は、巻き込み方向に付勢力を作用させるように取り付けられており、手入れ扉２８を開いたときに閉じる方向に付勢する。
【００２８】
ブレーキ部材６３は、ベース枠４６の板状部５３と手入れ扉２８の軸保持部６６との間に装着されており、図１７に示すように、板状部５３に固定される一対の取付け部７１の間に、帯板状の支持バー７２を介して摩擦部材７３が一体に形成されている。この摩擦部材７３は、横断面コ字状に形成され、その一側板部７４が支持バー７２により取付け部７１と連結状態とされるとともに、図６に示すように、ベース枠４６の板状部５３に形成した溝７５内に支持バー７２とともに嵌合状態に固定されている。他側板部７６は板状部５３から浮かせられた状態とされ、これら両側板部７４，７６の間に手入れ扉２８の軸保持部６６に対峙する傾斜した摩擦板部７７が形成されている。
【００２９】
この摩擦板部７７の上面（手入れ扉２８の軸保持部６６との対峙面）は、固定状態の一側板部７４から自由端部の他側板部７６に向けて上昇する傾斜面に形成され、この傾斜面に対峙する手入れ扉２８の軸保持部６６は、その外周部の一部を切り欠いてなる切欠面７８が形成されるとともに、この切欠面７８を除く外周面は、図３及び図６の左回りに沿って軸心からの距離が徐々に大きくなるように形成されている。そして、手入れ扉２８が閉じた状態では、摩擦板部７７の表面との間に間隔をおいて切欠面７８が対峙し、手入れ扉２８を開いた状態とすると、図６に示すように軸保持部６６の外周面により摩擦板部７７が押圧され、その摩擦板部７７表面の摩擦力と押圧されたときのブレーキ部材６３の弾性変形力とにより手入れ扉２８に制動力を作用させるようになっている。この制動力は、軸保持部６６の外周面における軸心からの距離が回動角度が大きくなるにしたがって徐々に大きくなるように形成されていることにより、手入れ扉２８の回動角度にしたがって徐々に大きくなる。また、ブレーキ部材６３の弾性変形力は、主として、ベース枠４６の溝７５内に保持された一側板部７４の撓み変形によって生じる。
カバー部材６５は、ベース枠４６の板状部５３に取り付けられ、板状部５３と手入れ扉２８の軸保持部６６との間を側方から覆うとともに、軸保持部６６の両端方向に配置される両軸受部６２を覆う形状とされる。
【００３０】
ロック部４９は、手入れ扉２８の自由端部に突出して形成された舌片部８１を係止するものであり、ベース枠４６の板状部５４に固定された基枠８２と、この基枠８２に回転自在に支持された軸８３に固定され、手入れ扉２８の舌片部８１を係止可能なラッチ部材８４と、このラッチ部材８４と手入れ扉２８の舌片部８１との係止状態を解除するための解除レバー８５とを備えている。
【００３１】
基枠８２は、図１８に示すように、一対の側板部８６の間を後方板部８７により一体に連結してなり、両側板部８６の間に軸８３が回転自在に支持されている。この軸８３は、基枠８２をベース枠４６の板状部５４に固定したときに板状部５４と平行となるように配置され、両端部が側板部８６よりも突出している。また、後方板部８７の上端部には、三つの切欠部８８と、その中央の切欠部８８内に配置される突起部８９とが形成されている。
【００３２】
ラッチ部材８４は、基枠８２の両側板部８６の内側に配置され、その軸保持部９０に軸８３が貫通状態に固定されており、図２１及び図２２に示すように、軸保持部９０の側部に手入れ扉２８の舌片部８１を係止するフック部９１と、このフック部９１の背部から相互に平行に延びる一対の突出片９２とが一体に形成されている。フック部９１は、ねじりコイルばね（付勢部材）９３により、フック部９１を手入れ扉２８の舌片部８１を係止する位置に向けて回動する方向（図３、図７、図８では左回り）に付勢されている。また、フック部９１の先端部の上面部及び軸保持部９０の前面部にはシリコーン樹脂等の軟質樹脂からなるクッション部材９４が取り付けられている。これらクッション部材９４は、後述する手入れ窓２７の開閉操作時に、フック部９１の先端部の上面に手入れ扉２８の舌片部８１の先端部下面が当接し、また、軸保持部９０の前面に手入れ扉２８の舌片部８１の裏面が当接するので、当接時の衝撃音を緩和するために設けられる。
【００３３】
解除レバー８５は、図１９及び図２０に示すように、基枠８２の両側板部８６よりも外側に配置される一対の側板部９５の間にレバー部９６が一体に形成されている。両側板部９５は、基枠８２の両側板部８６から突出している軸８３の両端部に固定されており、この軸８３より上方の部分がほぼ半円形に形成されるが、下方の部分は、その下端面に、板状部５４の表面に当接するフラット面９７に対して、軸８３よりも後方側（ヒンジ部とは反対側）を斜めに切欠してなる傾斜面９８を有している。フラット面９７と傾斜面９８との間は軸８３を中心とする円弧面９９により連続している。したがって、この解除レバー８５は、フラット面９７が板状部５４に当接した姿勢から、円弧面９９を介して傾斜面９８が板状部５４に当接する姿勢まで回動することができる。後述するように、前者がロック維持姿勢、後者がロック解除姿勢となる。
【００３４】
レバー部９６は、半円形の板状に形成され、側板部９５のフラット面９７が板状部５４に当接した状態でほぼ板状部５４と平行な姿勢で両側板部９５から後方に向けて突出するように形成され、その前方に、両側板部９５の間の後方部分を覆うように天板部１００が延長して形成され、この天板部の前方に手入れ扉２８の舌片部８１を通過可能な空間部１０１を形成している。また、このレバー部９６の裏面と基枠８２における後方板部８７の突起部８９との間には、基枠８２の切欠部８８内に配置されるようにコイルばね（付勢部材）１０２が設けられており、解除レバー８５をフラット面９７が板状部５４に当接する姿勢（ロック維持姿勢）に向けて回動する方向（図３、図７、図８では左回り）に付勢している。このロック維持姿勢においては、手入れ窓２７を閉止状態とした手入れ扉２８の舌片部８１がラッチ部材８４のフック部９１に係止される。
【００３５】
また、天板部１００の裏面には、ラッチ部材８４の突出片９２に上方から当接する押圧部１０３が形成されている。この押圧部１０３は、両突出片９２に対応して二箇所に設けられており、図１９及び図２０に示す例では、天板部１００から下方に突出する複数のリブ状に形成されている。そして、解除レバー８５をロック解除姿勢に回動したときに、押圧部１０３がラッチ部材８４の突出片９２を押圧してフック部９１が手入れ扉２８の舌片部８１から離間する方向（図３、図７、図８では右回り）に回動するようになっている。
このように、この解除レバー８５は、基枠８２の外側で、手入れ扉２８の舌片部８１を通過させる空間部１０１を残してロック部４９の全体を覆うようにしており、ラッチ部材８４やコイルばね１０２等を外部から見えにくくして、意匠性を高めている。
【００３６】
手入れ扉２８は、手入れ窓２７を閉鎖した時にパッキン４７のシール片５７に当接される板状部１０４と、この板状部１０４におけるパッキン４７への当接部を除く中央部分を突出させパッキン４７の内側に挿入される突起部１０５と、板状部１０４の一端部に設けられる前述した軸保持部６６と、他端部に設けられる舌片部８１とから構成される。板状部１０４は突起部１０５に対してフランジ状に張り出しており、突起部１０５は、手入れ窓２７を閉鎖状態としたときに左右側処置扉１７，１８の内壁３５の開口部４１内に入り込み、この内壁３５の内面とほぼ面一となる寸法に形成される。
【００３７】
このように構成された手入れ窓ユニット２５に対して、足側処置扉１９に取り付けられる手入れ窓ユニット２６は、この足側処置扉１９が一枚の壁により構成されているため、図５に示すように、手入れ扉２９が、左右側処置扉１７，１８の手入れ窓ユニット２５における手入れ扉２８のような突起部１０５がなく、手入れ窓２７の全体を覆うほぼ平坦な板状部１０６を有している点が異なるが、この板状部１０６に形成される軸保持部６６及び舌片部８１は手入れ扉２８と同じ形状であり、戸当たり枠体４５の構成も手入れ窓ユニット２５と全く同じである。図９及び図１３に示す例では、左右側処置扉１７，１８における二つの手入れ窓ユニット２６のうちの右側に配置されている手入れ窓ユニット２５と同じ向きで足側処置扉１９に手入れ窓ユニット２６が配置されている。
【００３８】
［手入れ窓の開閉操作］
手入れ窓の開閉操作について、左右側処置扉１７，１８に設けられている手入れ扉２８により手入れ窓２７を開閉する場合について説明する。
手入れ扉２８により手入れ窓２７を閉じた状態から、手入れ窓２７を開放する場合、図７の鎖線矢印で示すように、ロック部４９における解除レバー８５のレバー部９６を処置扉１７，１８に向けて押圧すると、解除レバー８５が軸８３を中心に図７の右回りに回動して、ラッチ部材８４の突出片９２を押圧する。このラッチ部材８４は、フック部９１に手入れ扉２８の舌片部８１を係止しており、解除レバー８５により押圧されると、軸８３を中心に図７の右回りに回動してフック部９１による舌片部８１の係止状態を解除する。手入れ扉２８は、閉止状態ではパッキン４７のシール片５７を弾性変形させながら押圧しており、また、ヒンジ部４８の軸６１に取り付けられたねじりコイルばね６４により開く方向に付勢されているので、ロック部４９によりロック状態が解除されると、パッキン４７の弾性力及びねじりコイルばね６４の付勢力により、開く方向に回動し、手入れ窓２７を開放する。
手入れ扉２８の回動角度が大きくなると、ヒンジ部４８において軸保持部６６がブレーキ部材６３の摩擦板部７７を押圧しながら摺動することにより制動される。
【００３９】
一方、開放した手入れ窓２７を閉じる場合は、手入れ扉２８を回動して、図８の矢印で示すように舌片部８１をロック部４９に上方から処置扉１７，１８に向けて押圧するように押し込むと、舌片部８１は、解除レバー８５の空間部１０１からラッチ部材８４のフック部９１の先端部に当接し、このフック部９１を退避させるように図８の右回りに回動させる。さらに手入れ扉２８を回動して、舌片部８１がフック部９１の先端より下方に通り過ぎると、フック部９１がねじりコイルばね９３の付勢力により逆方向（図８の左回り）に回動して、舌片部８１を係止し、手入れ扉２８を閉止状態にロックする。
【００４０】
この手入れ窓２７の開閉操作において、ロック部４９によるロック状態を解除する操作は、解除レバー８５を処置扉１７，１８に向けて押圧する操作であり、開いた手入れ扉２８をロック状態に保持する操作も、手入れ扉２８の舌片部８１を処置扉１７，１８に向けて押圧する操作によって行われる。
また、手入れ扉２８をロック状態とする場合には、手入れ扉２８の舌片部８１の先端部がラッチ部材８４のフック部９１に当接するが、フック部９１の上面にはクッション部材９４が設けられているため、当接時の衝撃音が緩和される。また、このフック部９１を舌片部８１が通過する際、あるいは、ロック解除時にラッチ部材８４が回動させられた際に、ラッチ部材８４の前面が手入れ扉２８の舌片部８１の下面に当接することがあるが、このラッチ８部材８４の前面にもクッション部材９４が設けられているため、その衝撃音も緩和することができる。
【００４１】
そして、前述したように左右側処置扉１７，１８のそれぞれに設けられる二つの開口部４２及び手入れ窓ユニット２５が、それぞれ同じ大きさ、同じ形状に形成され、両開口部４２の間の左右方向の中間位置を通る垂直線Ｖと両開口部４２の上下方向の中間位置を通る水平線Ｈとの交点Ｐを中心として点対称の形状に形成されていることから、そのいずれかの手入れ窓ユニット２５を他の開口部４２に取り付けることができ、その場合でも、同じ開閉操作により手入れ窓２７を開閉することができる。
また、足側処置扉１９に設けられている手入れ窓ユニット２６も、左右側処置扉１７，１８に設けられている手入れ窓ユニット２５と手入れ扉２９の構造の一部が異なるだけであり、その手入れ窓２７の開閉操作は、左右側処置扉１７，１８の手入れ窓２７の場合と全く同じである。
【００４２】
なお、本発明は前記実施形態の構成のものに限定されるものではなく、細部構成においては、本発明の趣旨を逸脱しない範囲において種々の変更を加えることが可能である。
前述の実施形態では、左右側処置扉１７，１８に対して足側処置扉１９及び頭側処置扉２０を図９等に示すように配置したが、足側と頭側とを逆にして使用する場合も想定される。その場合は、手入れ窓ユニット２６を取り付けた足側処置扉１９が児の頭側となる。本発明では、この足側処置扉１９を端部側処置扉とし、その開口部４２を端部側開口部、手入れ窓ユニット２６を端部側手入れ窓ユニットと称している。
【符号の説明】
【００４３】
１  保育器
７  児収容室
８  フード
１１  加熱器
１２  キャノピー
１５  臥床台
１７  左側処置扉
１８  右側処置扉
１９  足側処置扉（端部側処置扉）
２０  頭側処置扉
２５，２６  手入れ窓ユニット
２７  手入れ窓
２８，２９  手入れ扉
３５  内壁
３６  外壁
３７  隙間
４１，４２  開口部
４３  大円弧部
４４  小円弧部
４５  戸当たり枠体
４６  ベース枠
４７  パッキン
４８  ヒンジ部
４９  ロック部
５３，５４  板状部
６１  軸
６３  ブレーキ部材
６６  軸保持部
７３  摩擦部材
７８  切欠面
８１  舌片部
８２  基枠
８３  軸
８４  ラッチ部材
８５  解除レバー
９１  フック部
９２  突出片
９４  クッション部材
９６  レバー部
１０３  押圧部
１０５  突起部
１０６  板状部
Ｈ  水平線
Ｖ  垂直線
Ｐ  交点
【図１】
0005919069.tif 000002
【図２】
0005919069.tif 000003
【図３】
0005919069.tif 000004
【図４】
0005919069.tif 000005
【図５】
0005919069.tif 000006
【図６】
0005919069.tif 000007
【図７】
0005919069.tif 000008
【図８】
0005919069.tif 000009
【図９】
0005919069.tif 000010
【図１０】
0005919069.tif 000011
【図１１】
0005919069.tif 000012
【図１２】
0005919069.tif 000013
【図１３】
0005919069.tif 000014
【図１４】
0005919069.tif 000015
【図１５】
0005919069.tif 000016
【図１６】
0005919069.tif 000017
【図１７】
0005919069.tif 000018
【図１８】
0005919069.tif 000019
【図１９】
0005919069.tif 000020
【図２０】
0005919069.tif 000021
【図２１】
0005919069.tif 000022
【図２２】
0005919069.tif 000023